(57)【要約】【課題】ドラム缶を縦方向に回転させるドラム缶用混合装置において、攪拌・混合効率を向上させる【解決手段】回転軸支部に略Ｕ字形の回転ケージの両脚部の外側を軸支して、該回転軸支部により該回転ケージを回転可能とし、又、該回転ケージの両脚部の内側に夫々伸縮リンク機構を介して該ドラム缶保持部を結合して、該ドラム缶保持部を該回転ケージの回転と共に回転可能とし、又、該回転ケージの基部の内側に傾動軸支部を介して該ドラム缶保持部を軸支して、該伸縮リンク機構の伸縮によって該傾動軸支部の傾動軸を軸として該ドラム缶保持部を該回転ケージの回転方向に対して傾動可能とする。【選択図】　図２
2004121967.tif 000002
【特許請求の範囲】
【請求項１】
ドラム缶を保持するドラム缶保持部と、水平方向の回転軸を形成し、該ドラム缶保持部を該水平方向の回転軸を軸として回転可能にする回転軸支部とを備えたドラム缶用混合装置であって、
該回転軸支部に略Ｕ字形の回転ケージの両脚部の外側を軸支して、該回転軸支部により該回転ケージを回転可能とし、
又、該回転ケージの両脚部の内側に夫々伸縮リンク機構を介して該ドラム缶保持部を結合して、該ドラム缶保持部を該回転ケージの回転と共に回転可能とし、
又、該回転ケージの基部の内側に傾動軸支部を介して該ドラム缶保持部を軸支して、該伸縮リンク機構の伸縮によって該傾動軸支部の傾動軸を軸として該ドラム缶保持部を該回転ケージの回転方向に対して傾動可能としたことを特徴とするドラム缶用混合装置。
【請求項２】
前記傾動軸支部の傾動軸は前記回転軸支部の回転軸に直交していることを特徴とする請求項１記載のドラム缶用混合装置。
【請求項３】
前記伸縮リンク機構を、折りたたみリンク機構により構成したことを特徴とする請求項１記載のドラム缶用混合装置。
【発明の詳細な説明】
【０００１】
【発明が属する技術分野】
この発明は、ドラム缶を保持し、保持したドラム缶を回転させて、ドラム缶の内容物を攪拌・混合することができるドラム缶用混合装置に関する。
【従来の技術】
【０００２】
この種のドラム缶用混合装置は、ドラム缶自体を回転させることで内容物の攪拌・混合を行うので、ドラム缶を開口することなく攪拌・混合を行うことができ、ドラム缶に収容された各種の液状或いは粒状等の内容物の攪拌・混合に利用されており、又内容物排出後のドラム缶内の洗浄にも利用されている。
【０００３】
本願の出願人は、前記の如きドラム缶用混合装置として、同出願人発行の製品カタログ（非特許文献１参照）に記載のものを実施している。同カタログ記載のドラム缶用混合装置は、ドラム缶の胴体部の周囲にバンド状の保持部材を締着してドラム缶を保持するドラム缶保持部と、水平方向の回転軸を形成する回転軸支部とを備え、ドラム缶保持部を回転軸支部に回転可能に軸支してなるものであり、ドラム缶保持部を回転させることで、ドラム缶保持部が保持するドラム缶をその縦方向に回転させて、ドラム缶の内容物の攪拌・混合を行うことが出来る様になっている。
【０００４】
【非特許文献１】
大有株式会社発行の製品カタログ「Ｆｉｔ　ａｎｄ　Ｆｌｅｘｉｂｌｅ」（２００２年３月発行）
【０００５】
前記の如きドラム缶用混合装置の場合、ドラム缶をその縦方向に回転させることで、ドラム缶内の内容物を上下方向に繰り返して流動させることができると共にドラム缶の蓋と底に繰り返して衝突させることができるので、ドラム缶自体を回転させるだけでも、高い攪拌・混合効率を得ることができる、との利点がある。
【０００６】
更に、前記の如きドラム缶用混合装置の場合、ドラム缶をその縦方向に回転させる機構は、ドラム缶の内容物の投入機構としても利用することができる、との利点もある。
【０００７】
【発明が解決しようとする課題】
しかしながら、前記の如きドラム缶をその縦方向に回転させるドラム缶用混合装置においても、ドラム缶の内容物の種類によってはその内容物を所望の状態まで攪拌・混合するのに相当の時間が掛かる場合があり、更なる攪拌・混合効率の向上は望ましいところである。
【０００８】
上記事情に鑑み、本願の発明は、ドラム缶を縦方向に回転させるドラム缶用混合装置において、攪拌・混合効率を向上させることを目的とする。
【０００９】
【課題を解決するための手段】
上記目的を達成する本願の発明について述べれば、それは、ドラム缶を保持するドラム缶保持部と、水平方向の回転軸を形成し、該ドラム缶保持部を該水平方向の回転軸を軸として回転可能にする回転軸支部とを備えたドラム缶用混合装置であって、該回転軸支部に略Ｕ字形の回転ケージの両脚部の外側を軸支して、該回転軸支部により該回転ケージを回転可能とし、又、該回転ケージの両脚部の内側に夫々伸縮リンク機構を介して該ドラム缶保持部を結合して、該ドラム缶保持部を該回転ケージの回転と共に回転可能とし、更に、該回転ケージの基部の内側に傾動軸支部を介して該ドラム缶保持部を軸支して、該伸縮リンク機構の伸縮によって該傾動軸支部の傾動軸を軸として該ドラム缶保持部を該回転ケージの回転方向に対して傾動可能としたことを特徴とするドラム缶用混合装置、である。
【００１０】
前記本願発明のドラム缶混合装置によれば、伸縮リンク機構によってドラム缶保持部を回転ケージに対して傾動させ、ドラム缶保持部が保持するドラム缶の軸心方向を回転ケージの回転方向に対して傾斜させた状態でドラム缶を回転させることができ、ドラム缶の内容物を上下方向に加えその他の方向にも複雑に流動させることができるので、ドラム缶を縦方向に回転させるドラム缶用混合装置において、攪拌・混合効率を前記従来例に比して向上させることができる。
【００１１】
前記本願発明のドラム缶用混合装置において、前記傾動軸支部の傾動軸は前記回転軸支部の回転軸に直交していることが好ましい。このようにすることで、ドラム缶の傾動操作を行う際に、ドラム缶を、先ず直立状態でドラム缶保持部により保持して垂直上方に上昇させ、その後回転軸支部により動力を利用して縦方向に９０度回転させて傾動軸支部がドラム缶の真下に位置する状態にし、その状態で傾動軸支部により横方向に回転（傾動）させることで、ドラム缶の傾動操作を行うことができ、ドラム缶内の内容物の量がドラム缶の内容積を１００％満たしておらず、内容物を含めたドラム缶の重心位置が傾動軸上に位置していない場合でも、前記の如き傾動操作によれば、その重心位置の移動は横方向のみであり、重力方向に抗する方向への移動はないので、人力により軽く傾動操作を行うことができる。
【００１２】
前記本願の発明のドラム缶用混合装置において、伸縮リンク機構は例えば折りたたみリンク機構によって構成することができる。折りたたみリンク機構によれば、簡易な構成によって伸縮リンク機構を構成することができる。
【００１３】
【発明の実施の形態】
本願の発明の実施の形態の一つを添付図１乃至１０により説明する。
【００１４】
図１乃至４に示す様に、ドラム缶用混合装置１は、前後に走行車輪を有する水平基枠２と、水平基枠２の後端部に設けられた垂直支柱３ａ，３ｂと、垂直支柱３ａ，３ｂに沿って上下方向に移動可能に設けられた昇降枠４と、昇降枠４の脚部４ａ，４ｂの前端部に立設ブラケット５ａ，５ｂを介して設けられ、水平方向の回転軸Ｘ１を形成する如く対向して設けられた回転軸支部６ａ，６ｂと、回転軸支部６ａ，６ｂの間に位置し、略Ｕ字形をなし、その両脚部７ａ，７ｂがそれぞれの外側において回転軸支部６ａ，６ｂに回転可能に軸支された回転ケージ７と、回転ケージ７の両脚部７ａ，７ｂの内側に伸縮リンク機構の一例である折りたたみリンク機構８ａ，８ｂを夫々介して結合され、回転ケージ７の回転とともに回転可能に設けられたドラム缶保持部９と、回転ケージ７の基部７ｃの内側に設けられ、ドラム缶保持部９を軸支するとともに、回転軸支部６ａ，６ｂの回転軸Ｘ１と直交する方向に傾動軸Ｘ２を形成し、折りたたみリンク機構８ａ，８ｂの伸縮によってドラム缶保持部９をその上下方向が回転ケージ７の回転方向に対して横方向に傾斜可能になる如く傾動させる傾動軸支部１０等からなる。
【００１５】
尚、ドラム缶保持部９は、ドラム缶５０の周囲に締着され、拡開部９ｂとロック部９ｃとを有する締着バンド９ａによって構成されている。
【００１６】
更に、図１及び図２において、１１は回転軸支部６ａ，６ｂに対して動力を与える電動モータ（動力源としてエアーモータを用いることで防爆型の装置を構成することができる）であり、３ｃ，３ｄ，３ｅ，３ｆは昇降枠４の移動をガイドするガイドレールとガイドローラであり、１２は昇降枠４を移動させるための油圧ジャッキ機構である。
【００１７】
折りたたみリンク機構８ａ，８ｂは、図３乃至１０に示した様に、特に同機構８ａを拡大して図示した図５によってその詳細が理解される様に、略Ｌ字状の基杆８ｃ，８ｄと、直状の折りたたみ杆８ｇ，８ｈとから構成され、略Ｌ字状の基杆８ｃ，８ｄの折曲がり部近傍を、傾動軸支部１０の傾同軸Ｘ２と同一方向の回転軸を形成する軸着部８ｅ，８ｆにより回転ケージ７の脚部７ａ，７ｂの端部内側に軸着し、基杆８ｃ，８ｄのドラム缶保持部９側端部に折りたたみ杆８ｇ，８ｈの一端を傾動軸支部１０の傾動軸Ｘ２と同一方向の回転軸を形成する軸着部８ｉ，８ｊにより軸着し、折りたたみ杆８ｇ，８ｈの他端をドラム缶保持部９の外側に設けたステー９ｄ，９ｅに傾動軸支部１０の傾動軸Ｘ２と同一方向の回転軸を形成する軸着部８ｋ，８ｍにより軸着してなるものであり、基杆８ｃ，８ｄの揺動に連れて折りたたみ杆８ｇ，８ｈも揺動することとなるが、折りたたみ杆８ｇ，８ｈは、その揺動に連れてその軸着部８ｋ，８ｍ側の端部の向きを反転させる如く揺動する様になっており、即ち折りたたみ状態と延伸状態との間を変位する様になっている。更にこの折りたたみリンク機構８ａ，８ｂは、ストッパ８ｓ，８ｔを備えており、ストッパ８ｓ，８ｔが機能することで折りたたみ状態と延伸状態とにそれぞれ姿勢維持することができる様になっている（傾動の際にはこのストッパ８ｓ，８ｔのストッパ機能を解除する）。尚、この折りたたみリンク機構８ａ，８ｂは一対をなすものであるが、それぞれの機構は互いに相対する方向に変位する様になっている。
【００１８】
ドラム缶保持部９は、折りたたみリンク機構８ａ，８ｂを介して回転ケージ７に結合されるとともに、傾動軸支部１０を介して回転ケージ７に傾動可能に軸支されており、折りたたみリンク機構８ａ，８ｂが前記の如く変位することで、回転ケージ７に対して傾動軸支部１０により傾動する様になっている。即ち、ドラム缶保持部９は、図３及び図４に示す様に、折りたたみ杆８ｇ，８ｈが折りたたみ状態にある時は、その上下方向Ａ３は回転ケージ７の上下方向Ａ２と一致する様になっているが、図５及び図６に示す様に、折りたたみ杆８ｇ，８ｈが反転変位して延伸状態にある時は、その上下方向Ａ３は、回転ケージ７の上下方向Ａ２に対してその幅方向に傾斜（本実施の形態においては略３０度傾斜させている）した状態、即ち回転ケージ７の回転方向Ａ１（水平方向の回転軸を形成する回転軸支部６ａ，６ｂが形成する垂直方向の回転方向）に対して傾斜した状態となっている。
【００１９】
図８乃至図１０は、ドラム缶５０を保持した状態における、ドラム缶保持部９及び折りたたみリンク機構８ａ，８ｂの変位を示したものであるが、図７に示す様に、折りたたみリンク機構８ａ，８ｂにおける折りたたみ杆８ｇ，８ｈが折りたたみ状態にある時は、ドラム缶保持部９の上下方向Ａ３、即ちドラム缶５０の軸方向Ａ４は回転ケージ７の上下方向Ａ３と一致しているが、折りたたみ杆８ｇ，８ｈが折りたたみ状態から延伸状態に向けて変位していくと、ドラム缶５０の軸方向Ａ４は、回転ケージ７の回転方向Ａ１に対して傾斜する如く、回転ケージ７の上下方向Ａ３に対してその幅方向に傾動し、図９に示す状態を経て、折りたたみ杆８ｇ，８ｈが反転して延伸状態となる図１０に示す状態まで更に傾動する様になっている。
【００２０】
ドラム缶５０は、前記の如く、その上下方向を回転ケージ７の回転方向に対して傾斜させる如く傾動する様になっているが、その傾動操作は、例えば、ドラム缶５０自体を操作して傾動させる様にしてもよいし、又図示は省略するが、折りたたみリンク機構８ａ，８ｂの基杆８ｃ，８ｄに操作レバーを設け、その操作レバーを操作して基杆８ｃ，８ｄを揺動させ、折りたたみリンク機構８ａ，８ｂを変位させて行う様にしてもよい。但し、ドラム缶５０の内容物の量がドラム缶５０の内容積を１００％満たしておらず、内容物を含めたドラム缶５０の重心位置が傾動軸Ｘ２上に位置していない場合、ドラム缶５０を直立状態から傾動させるのが非常に困難となることがあるので、回転軸支部６ａ，６ｂの回転軸Ｘ１と傾動軸支部１０の傾動軸Ｘ２とを直交させている本実施の形態においては、ドラム缶５０をドラム缶保持部９により直立状態で保持した状態で、昇降枠４を上昇させることでドラム缶５０を直立状態のまま上昇させ、電動モータ１１の動力を利用して回転軸支部６ａ，６ｂによりドラム缶５０を縦方向に９０度回転させ、傾動軸支部１０がドラム缶５０の真下に位置する状態にし、その状態で傾動軸支部１０によりドラム缶５０を傾動させるようにするとよい。このようにすることで、内容物を含めたドラム缶５０の重心位置が傾動軸Ｘ２上に位置していない場合でも、その重心位置の移動は横方向のみであり、重力方向に抗する方向への移動はないので、人力により軽く傾動操作を行うことができる。
【００２１】
本実施の形態におけるドラム缶混合装置１によれば、ドラム缶５０の内容物を攪拌・混合する際に、ドラム缶５０をドラム缶保持部９の締着ベルト９ａにより保持し、油圧ジャッキ機構１２を操作して、昇降枠４とともにドラム缶保持部９を上昇させ、そしてドラム缶保持部９が保持したドラム缶５０を前記の如く傾動させてその上下方向を回転ケージ７の回転方向Ａ１に対して傾斜させた状態とし、その状態で回転軸支部６ａ，６ｂの水平方向の回転軸によりドラム缶５０を縦方向に連続回転させることにより内容物の攪拌・混合を行えば、ドラム缶５０の内容物は上下方向に加えその他の方向にも複雑に流動することとなるので、前記従来例に比して攪拌・混合効率を向上させることができる。
【００２２】
尚、本実施の形態におけるドラム缶混合装置１において、ドラム缶５０を縦方向に回転させる機構はドラム缶５０の内容物の投入機構としても利用することができる。即ち、ドラム缶５０の内容物の投入の際には、ドラム缶５０をドラム缶保持部９により垂直方向に保持した状態で、それを昇降枠４とともに所望の高さに上昇させ、回転軸支部６ａ，６ｂによりドラム缶５０を縦方向に傾斜させることで、ドラム缶５０の上部開口部より内容物を所望の投入先に投入することができる。
【００２３】
【発明の効果】
本願の発明は、上記の如く構成したので、伸縮リンク機構によってドラム缶保持部を回転ケージに対して傾動させ可能にすることで、ドラム缶保持部が保持するドラム缶の上下方向を回転ケージの回転方向に対して傾斜させた状態でドラム缶を回転させることができ、それによりドラム缶の内容物を上下方向に加えその他の方向にも複雑に流動させることができるので、ドラム缶を縦方向に回転させるドラム缶用混合装置において、攪拌・混合効率を前記従来例に比して向上させることができる。
【００２４】
更に、本願の発明において、傾動軸支部の傾動軸を前記回転軸支部の回転軸に直交させることで、ドラム缶の傾動操作を行う際に、ドラム缶を、先ず直立状態でドラム缶保持部により保持して垂直上方に上昇させ、その後回転軸支部により動力を利用して縦方向に９０度回転させて傾動軸支部がドラム缶の真下に位置する状態にし、その状態で傾動軸支部により横方向に回転（傾動）させることで、ドラム缶の傾動操作を行うことができ、ドラム缶内の内容物の量がドラム缶の内容積を１００％満たしておらず、内容物を含めたドラム缶の重心位置が傾動軸上に位置していない場合でも、前記の如き傾動操作によれば、その重心位置の移動は横方向のみであり、重力方向に抗する方向への移動はないので、人力により軽く傾動操作を行うことができる。
【００２５】
更に、本願の発明において、伸縮リンク機構を折りたたみリンク機構によって構成することで、簡易な構成によって伸縮リンク機構を構成することができる。
【図面の簡単な説明】
【図１】本願の発明のドラム缶混合装置の実施の形態を示し、ドラム缶混合装置の正面図である。
【図２】同上を示し、ドラム缶混合装置の平面図である。
【図３】同上を示し、ドラム缶混合装置の回転ケージ及びドラム缶保持部等の平面図である。
【図４】同上を示し、図３におけるＶＩ−ＶＩ矢視図である。
【図５】同上を示し、ドラム缶混合装置の折りたたみリンク機構の拡大図である。
【図６】同上を示し、ドラム缶混合装置の回転ケージ、ドラム缶保持部等の平面図である。
【図７】同上を示し、図６におけるＶＩＩ−ＶＩＩ矢視図である。
【図８】同上を示し、ドラム缶を保持した状態における図４に相当する図である。
【図９】同上を示し、図８の状態から図１０の状態に変化する途中の状態を示す図である。
【図１０】同上を示し、ドラム缶を保持した状態における図７に相当する図である。
【符号の説明】
１　　ドラム缶混合装置
２　　水平基枠
３ａ，３ｂ　垂直支柱
３ｃ，３ｄ　ガイドレール
３ｅ，３ｆ　ガイドローラ
４　　昇降枠
４ａ，４ｂ　脚部
５ａ，５ｂ　立設ブラケット
６ａ，６ｂ　回転軸支部
７　　回転ケージ
７ａ，７ｂ　脚部
７ｃ　基部
８ａ，８ｂ　折りたたみリンク機構
８ｃ，８ｄ　基杆
８ｅ，８ｆ　軸着部
８ｇ，８ｈ　折りたたみ杆
８ｉ，８ｊ　軸着部
８ｋ，８ｍ　軸着部
８ｓ，８ｔ　ストッパ
９　　ドラム缶保持部
９ａ　締着バンド
９ｂ　拡開部
９ｃ　ロック部
９ｄ，９ｅ　ステー
１０　傾動軸支部
１１　電動モータ
１２　油圧ジャッキ機構
Ａ１　回転ケージの回転方向
Ａ２　回転ケージの上下方向
Ａ３　ドラム缶保持部の上下方向
Ａ４　ドラム缶の軸方向
Ｘ１　回転軸支部の回転軸
Ｘ２　傾同軸支部の傾動軸
【図１】
2004121967.tif 000003
【図２】
2004121967.tif 000004
【図３】
2004121967.tif 000005
【図４】
2004121967.tif 000006
【図５】
2004121967.tif 000007
【図６】
2004121967.tif 000008
【図７】
2004121967.tif 000009
【図８】
2004121967.tif 000010
【図９】
2004121967.tif 000011
【図１０】
2004121967.tif 000012